(57)【特許請求の範囲】
【請求項１】
紙面を構成する記事部および広告部のカラー印刷するための分色版フィルムの出力を管理する紙面管理装置において、
紙面の記事部および広告部にカラー印刷する部分の有無をそれぞれ登録するテーブルと、
上記記事部と上記広告部の一方あるいは両者からの校了通知をもとに上記テーブルを参照して分色版フィルムの出力の判定を行う手段と
を備えたことを特徴とする紙面管理装置。
【請求項２】
上記テーブルに記事部および広告部に共にカラー印刷する部分の有りが登録されていた場合には当該記事部のカラー校了および広告部の広告校了の通知があったときに、あるいは上記テーブルに記事部および広告部の一方にカラー印刷する部分の有りが登録されていた場合には該当する記事部のカラー校了あるいは広告部の広告校了の通知があったときに、分色版フィルムの出力を行うと判定することを特徴とする請求項１記載の紙面管理装置。
【請求項３】
上記テーブルに、紙面の面毎の記事部および広告部にカラー印刷する部分の有無をそれぞれ登録し、面毎に分色版フィルムの出力の判定を行うことを特徴とする請求項１あるいは請求項２記載の紙面管理装置。
【請求項４】
上記テーブル中のカラー印刷する部分の有りが登録されたエントリに対応づけて上記カラー校了あるいは上記広告校了の日時および上記分色版フィルムの出力の有無を登録し、その一覧を進行状況として表示する手段を備えたことを特徴とする請求項１から請求項３のいずれかに記載の紙面管理装置。
【請求項５】
紙面の記事部および広告部にカラー印刷する部分の有無をテーブルにそれぞれ登録する手段と、
上記記事部と上記広告部の一方あるいは両者からの校了通知をもとに上記テーブルを参照して分色版フィルムの出力の判定を行う手段と
してコンピュータを機能させるプログラムを記録したコンピュータ読取可能な記録媒体。
【発明の詳細な説明】
【０００１】
【産業上の利用分野】
本発明は、紙面を構成する記事部および広告部のカラー印刷するための分色版フィルムの出力を管理する紙面管理装置および記録媒体に関するものである。
【０００２】
【従来の技術】
新聞紙面は記事部と広告部、更に欄外部から構成され、そのうちの前者の記事部と広告部は、編集局および広告局でそれぞれ個別に作成され、それぞれ作成された内容を一緒にして出力し、印刷工程に渡すようにしている。
【０００３】
この場合、紙面上にカラー印刷の部分があると、分色版（Ｃ，Ｍ，Ｙ，ＫあるいはＣ，Ｍ，Ｙ）のフィルムを、モノクロ版のフィルムよりも先に、印刷工程の準備の都合上、出力して渡す必要がある。
【０００４】
このため、従来は、記事部を作成する編集局の人が紙面上の記事部および広告局で作成した広告部の分色版のフィルムも一緒にして先に出力し、後にモノクロ版のフィルムを出力し、印刷工程に渡すようにしていた。
【０００５】
【発明が解決しようとする課題】
このため、記事部を作成する編集局が、作成に関与しない広告部にカラー印刷部分があって分色版のフィルムを出力するか否かまでも電話などで問い合わせて管理する必要があり、管理が極めて大変であるという問題があった。
【０００６】
本発明は、これらの問題を解決するため、紙面の面毎に記事部および広告部のカラー素材の有無をそれぞれテーブルに登録し、広告部の広告校了および記事部の記事校了／カラー完了をもとにテーブルを参照して自動判定して分色版フィルムを出力して次工程に渡し、従来の編集局および広告局の人が他局のカラー素材の有無や作業進行状況を意識することなく、待ち合わせて分色版フィルムの自動出力を実現することを目的としている。
【０００７】
【課題を解決するための手段】
図１を参照して課題を解決するための手段を説明する。
図１において、サーバ１は、ファイル１４を管理、および各種処理を行う紙面形態管理手段１１、カラー出力指示手段１２などから構成されるものである。
【０００８】
紙面形態管理手段１１は、紙面の形態を管理するものであって、紙面の面毎の形態情報（図４参照）を管理するものである。
カラー出力指示手段１２は、分色版フィルムの出力指示するものである。
【０００９】
端末（記事）２は、記事作成する端末であって、紙面形態登録手段２１、カラー校了手段２２、状況表示手段２４などから構成されるものである。
紙面形態登録手段２１は、紙面の面毎に記事部中にカラー印刷する部分があるか否かなどを登録するものである。
【００１０】
カラー校了手段２２は、記事部のカラー校了の終了を通知したりなどするものである。
状況表示手段２４は、紙面の面毎の進行状況を表示するものである（後述する図８参照）。
【００１１】
端末（広告）３は、広告作成する端末であって、紙面形態登録手段３１、広告校了手段３２、状況表示手段３３などから構成されるものである。
紙面形態登録手段３１は、紙面の面毎に広告部中にカラー印刷する部分があるか否かを登録するものである。
【００１２】
広告校了手段３２は、広告部の校了の終了を通知したりなどするものである。
状況表示手段３３は、紙面の面毎の進行状況を表示するものである（後述する図８参照）。
【００１３】
紙面形態設定情報１８は、紙面の面毎の記事部および広告部のカラー印刷する部分の有無などを登録したものである。
次に、動作を説明する。
【００１４】
紙面形態登録手段２１，３１が紙面の記事部および広告部にカラー印刷する部分の有無をそれぞれ紙面形態設定情報１８に登録し、カラー校了手段２２から記事部のカラー校了の通知および広告校了手段３２から広告部の校了終了の通知の一方あるいは両者をもとに紙面形態設定情報１８を参照して分色版フィルムの出力の判定を行うようにしている。
【００１５】
この際、紙面形態設定情報（テーブル）１８に記事部および広告部に共にカラー印刷する部分の有りが登録されていた場合には当該記事部のカラー校了および広告部の広告校了の通知があったときに、あるいは紙面形態設定情報（テーブル）１８に記事部および広告部の一方にカラー印刷する部分の有りが登録されていた場合には該当する記事部のカラー校了あるいは広告部の広告校了の通知があったときに、分色版フィルムの出力を行うと判定するようにしている。
【００１６】
また、紙面形態設定情報（テーブル）１８に、紙面の面毎の記事部および広告部にカラー印刷する部分の有無をそれぞれ登録し、面毎に分色版フィルムの出力の判定を行うようにしている。
【００１７】
また、状況表示手段２４，３３が紙面形態設定情報（テーブル）１８中のカラー印刷する部分の有りが登録されたエントリに対応づけてカラー校了あるいは広告校了の日時および分色版フィルムの出力の有無を登録し、その一覧を進行状況として表示するようにしている。
【００１８】
従って、紙面の面毎に記事部および広告部のカラー素材の有無をそれぞれテーブル（紙面形態設定情報１８）に登録し、広告部の広告校了および記事部の記事校了／カラー完了をもとにテーブルを参照して自動判定して分色版フィルムを出力して次工程に渡すことにより、従来の編集局および広告局の人が他局のカラー素材の有無や作業進行状況を意識することなく、待ち合わせて分色版フィルムの自動出力を実現することが可能となる。
【００１９】
【実施例】
次に、図１から図８を用いて本発明の実施の形態および動作を順次詳細に説明する。
【００２０】
図１は、本発明のシステム構成図を示す。
図１において、サーバ１は、ファイル１４を管理すると共に、図示外の記録媒体から読み出したプログラムを主記憶にローディングして起動し、以下に説明する各種処理を行う紙面形態管理手段１１、カラー出力指示手段１２、モノクロ出力指示手段１３などから構成されるものである。
【００２１】
ファイル１４は、各種情報を格納して管理するものであって、ここでは、広告データ１５、記事カラーデータ１６、記事モノクロデータ１７、紙面形態設定情報１８、および進行状況情報１９などの情報を格納して管理するものである。
【００２２】
広告データ１５は、紙面上の広告部のデータであって、例えば後述する図３の１面の下段の広告部に掲載する広告データ（カラーデータと、モノクロのテキストデータ）である。
【００２３】
記事カラーデータ１６は、紙面上の記事部のカラーデータであって、例えば後述する図３の１面の上段の記事部に掲載するカラーデータである。
記事モノクロデータ１７は、紙面上の記事部のモノクロデータであって、例えば後述する図３の１面の上段の記事部に掲載するモノクロデータである。
【００２４】
紙面形態設定情報１８は、紙面の記事部および広告部の段数、カラー印刷する部分の有無などを登録したものである（後述する図４参照）。
進行状況情報１９は、紙面の記事部および広告部のカラー印刷する部分の有無、カラー校了／記事校了の有無、分色版フィルムの出力の有無などの進行状況を登録したものである（後述する図８参照）。
【００２５】
端末（記事）２は、紙面上の記事部を作成する端末であって、紙面形態登録手段２１、カラー校了手段２２、記事校了手段２３、状況表示手段２４、入力装置２５、および出力装置２６などから構成されるものである。
【００２６】
紙面形態登録手段２１は、紙面上の記事部のカラー印刷する部分の有無などをサーバ１の管理する紙面形態設定情報１８に登録したりなどするものである。
カラー校了手段２２は、紙面上の記事部のカラー印刷する部分を校了したり、校了した旨をサーバ１に通知したりなどするものである。
【００２７】
記事校了手段２３は、紙面上の記事部の記事（モノクロ）の部分を校了したり、校了した旨をサーバ１に通知したりなどするものである。
状況表示手段２４は、紙面上の記事部および広告部の状況を表示するものである（後述する図８参照）。
【００２８】
入力装置２５は、各種入力するものであって、マウスやキーボードなどである。
出力装置２６は、出力するものであって、表示装置、印刷装置、データを格納する外部記憶装置などである。
【００２９】
端末（広告）３は、紙面上の広告部を作成する端末であって、紙面形態登録手段３１、広告校了手段３２、状況表示手段３３、入力装置３４、および出力装置３５などから構成されるものである。
【００３０】
紙面形態登録手段３１は、紙面上の広告部のカラー印刷する部分の有無などをサーバ１の管理する紙面形態設定情報１８に登録したりなどするものである。
広告校了手段３２は、紙面上の広告部のカラー印刷およびテキストなどの部分を校了したり、校了した旨をサーバ１に通知したりなどするものである。
【００３１】
状況表示手段３３は、紙面上の記事部および広告部の状況を表示するものである（後述する図８参照）。
入力装置３４は、各種入力するものであって、マウスやキーボードなどである。
【００３２】
出力装置３５は、出力するものであって、表示装置、印刷装置、データを格納する外部記憶装置などである。
次に、図２のフローチャートの順番に従い図１の構成の動作を詳細に説明する。
【００３３】
図２は、本発明の動作説明フローチャートを示す。ここで、サーバ１、端末（記事）２、端末（広告）３は、図１の同一番号のものと同一である。
図２において、Ｓ１は、端末（広告）３が紙面形態の登録を行う。これは、端末（広告）３を構成する紙面形態登録手段３１が例えば後述する図４の紙面形態設定画面上から１面、２面、３面・・・について広告部の広告段数およびカラー素材の有無を入力し、図示外の登録ボタンを押下してサーバ１に送信する。
【００３４】
Ｓ２は、サーバ１が記事段数の決定を行う。これは、Ｓ１で送信されてきた紙面形態情報をもとに、サーバ１の紙面形態管理手段１１が記事段数を決定（例えば送信されてきた広告部の段数を、全体の段数から引き算して記事部の段数を決定）する。
【００３５】
Ｓ３は、登録する。これは、Ｓ１で送信されてきた広告部の段数、カラー有無、およびＳ２で決定した記事部の段数を、後述する図４のような情報として紙面形態設定情報１８としてファイル１４中に登録する。
【００３６】
Ｓ４は、端末（記事）２がカラー有無の登録を行う。これは、端末（記事）２を構成する紙面形態登録手段２１が例えば後述する図４の紙面形態設定画面上から１面、２面、３面・・・について記事部のカラー有無の欄に有無を入力し、図示外の登録ボタンを押下してサーバ１に送信する。
【００３７】
Ｓ５は、登録する。これは、Ｓ４で送信されてきた記事部のカラー有無を、後述する図４のような情報として紙面形態設定情報１８としてファイル１４中に登録する。
【００３８】
以上のＳ１からＳ５によって、紙面の面毎に広告部の段数、カラー有無、記事部の段数、カラー有無がサーバ１のファイル１４中に紙面形態設定情報１８として登録されることとなる。
【００３９】
Ｓ１１は、端末（広告）３が広告組版する。
Ｓ１２は、広告校了する。これは、広告校了手段３２が紙面の面毎に、広告を掲載する場合にはその面上で指定段数の広告部を段数の中に納まるように作成した旨である、広告校了をサーバに通知する。
【００４０】
Ｓ２１は、端末（記事）２が記事組版する。
Ｓ２２は、カラー校了する。これは、カラー校了手段２２が紙面の面毎に、記事を掲載する場合にはその面上で指定段数の記事部中のカラー素材を段数の中に納まるように作成した旨である、カラー校了をサーバに通知する。
【００４１】
Ｓ２３は、記事校了する。これは、記事校了手段２３が紙面の面毎に、記事を掲載する場合にはその面上で指定段数の記事部中の記事を段数の中に納まるように作成した旨である、記事校了をサーバに通知する。
【００４２】
Ｓ２４は、出力指示する。これは、端末（広告）２からの広告校了、端末（記事）３からのカラー校了、記事校了をもとに、後述する図５、図７のロジックに従い判定した分色版フィルムあるいはモノクロ版フィルムを出力し、次工程に渡す。
【００４３】
以上によって、端末（広告）３から通知された広告校了、端末（記事）２から通知されたカラー校了／記事校了をもとに、必要な場合には待ち合わせを行って図７のロジックに従い自動的に分色版フィルム、モノクロ版フィルムを自動的に出力して次工程に渡すことが可能となる。
【００４４】
図３は、本発明の紙面例を示す。これは、紙面の１面の例を示し、上段の１０段が記事部、下段の５段が広告部である例を示す。上段の記事部には、ここでは、「カラー１」というカラー素材（カラー印刷する部分）がある。下段の広告部にも同様に、「カラー２」というカラー素材がある。
【００４５】
図４は、本発明の紙面形態設定画面例を示す。これは、端末（記事）２、端末（広告）３の紙面形態登録手段２１，３１が出力装置２６，３５の表示装置上に表示し、記事部の段数、カラー有無、広告部の段数、カラー有無などを登録するための画面例であって、ここでは、図示の下記の情報を面毎に入力して登録するようにしている。
【００４６】
・記事部
・段数：
・カラー有無：
・広告部
・段数：
・カラー有無
また、版数毎に上記情報を面毎に図示のように登録するようにしている。
【００４７】
以上のように、端末（記事）２、端末（広告）３の表示装置上に図示の紙面形態設定画面例を表示し、面毎に記事部の段数とカラー有無、広告部の段数とカラー有無を簡易な操作で登録することが可能となる。
【００４８】
図５は、本発明の判定説明図を示す。これは、既述した図２のＳ２４で出力指示を行うときに、広告部の広告校了、記事部のカラー校了／記事校了をもとに、分色版フィルム、モノクロ版フィルムのいずれを出力するかの自動判定を説明したものである。
【００４９】
図５の（ａ）は、端末（広告）３、端末（記事）２から▲１▼、▲２▼、▲３▼、▲４▼の４通りのカラー有無が登録された状態を示す。即ち、図示の下記のカラー有無がサーバ１の紙面形態設定情報１８中に登録されたとする。
【００５０】
0004060495.tif 000002
図５の（ｂ）は、広告部から広告校了の通知、記事部からカラー校了／記事校了の通知があった場合の判定（分色版フィルム、モノクロ版フィルムを出力、何もしなく待機するの判定）の例を示す。
【００５１】
▲１▼の場合：広告部から１面（広告終わり）、記事部から１面（記事カラー部終わり）が通知されるので、Ｓ３１で記事／広告両方終わりか判別し、ＹＥＳの場合（記事部からカラー校了通知、および広告部から広告終了通知の両者を受けた場合）には、Ｓ３２で分色版自動出力（Ｃ，Ｍ，Ｙ，（Ｋ）の分色版を自動出力）と判定し、一方、Ｓ３１のＮＯの場合にはＳ３８で分色版出力無しと判定する。
【００５２】
▲２▼の場合：広告部から２面（広告終わり）、記事部から２面（記事カラー部終わり）が通知されるので、Ｓ３３で記事終わりか判別し、ＹＥＳの場合（記事部からカラー校了通知を受けた場合）には、Ｓ３４で分色版自動出力（Ｃ，Ｍ，Ｙ，（Ｋ）の分色版を自動出力）と判定し、一方、Ｓ３３のＮＯの場合にはＳ３８で分色版出力無しと判定する。
【００５３】
▲３▼の場合：広告部から３面（広告終わり）の通知、記事部から３面（記事にカラーはないため、終わりの宣言（通知）はない）の通知がされないが、Ｓ３１で広告終わりかのみを判別し、ＹＥＳの場合（広告部から広告終了通知のみを受けた場合）には、Ｓ３６で分色版自動出力（Ｃ，Ｍ，Ｙ，（Ｋ）の分色版を自動出力）と判定し、一方、Ｓ３５のＮＯの場合にはＳ３８で分色版出力無しと判定する。
【００５４】
▲４▼の場合：広告部から４面（広告終わり）の通知、記事部から４面（記事にカラーはないため、終わりの宣言（通知）はない）の通知がされないが、Ｓ３７で広告終わりかのみを判別し、ＹＥＳの場合（広告部から広告終了通知のみを受けた場合）には、Ｓ３８で分色版出力無しと判定し、一方、Ｓ３７のＮＯの場合にはＳ３８で分色版出力無しと判定する。
【００５５】
以上の図５の（ａ）の▲１▼、▲２▼、▲３▼、▲４▼に示すように、端末（広告）３、端末（記事）２からそれぞれサーバ１の紙面形態設定情報１８中に登録（例えば図４の▲１▼、▲２▼、▲３▼、▲４▼に示すように登録）しておき、図５の（ｂ）に示すように、端末（広告）３からの広告校了通知、端末（記事）２からのカラー校了通知／記事校了通知をもとに、▲１▼、▲２▼、▲３▼、▲４▼に示すように分色版自動出力、出力なしを自動判定することが可能となる。
【００５６】
図６は、本発明の動作説明フローチャート（判定）を示す。
図６において、Ｓ４１は、校了受け取る。これは、サーバ１が端末（記事）２、端末（広告）３から校了（広告部からの広告校了、記事部からのカラー校了／記事校了）を受け取る。
【００５７】
Ｓ４２は、該当紙面を参照する、これは、Ｓ４１で受取った校了について、該当紙面を参照、例えば後述する図８の進行状況画面の情報を登録した進行状況情報１９を参照する。
【００５８】
Ｓ４３は、校了実績を更新する。これは、Ｓ４２で参照した進行状況ファイル（図８の進行状況画面例と同じ情報）中の該当する校了実績を更新、図８の画面例上で該当面の広告あるいは記事のカラー実績の欄に、現在時刻を設定して更新する。
【００５９】
Ｓ４４は、登録されている予定条件を満たしているか判別する。これは、Ｓ４３でカラー実績の欄を更新（現在時刻を設定して更新）したことで、当該面について広告部および記事部のカラー予定（カラー有無）の登録をもとに、後述する図７の判定テーブルに設定された条件を満たしているか判定する。ＹＥＳの場合には、条件を満たしているので、Ｓ４５で分色版フィルムを出力し、終了する。ＮＯの場合には、図７の判定テーブルの条件を満たしていないと判明したので、分色版フィルムを出力すること無く、終了する。
【００６０】
以上によって、記事部からのカラー校了／記事校了、広告部からの広告校了をもとに、後述する図８の進行状況画面例と同じ内容を持つ進行状況情報１９にカラー実績を登録（更新）すると共に、図７の判定テーブルの条件を満たしている場合に分色版フィルムを自動出力することが可能となる。
【００６１】
図７は、本発明の判定テーブル例を示す。これは、既述した図６のＳ４４で登録されている予定条件を満たしているか否かを判定するための判定テーブルであって、図示の下記の判定条件を設定して、分色版フィルムの自動出力を判定するものである。
【００６２】
0004060495.tif 000003
図８は、本発明の進行状況画面例を示す。この進行状況画面は、図１のサーバ１が管理する進行状況情報１９に登録して管理するものである。
【００６３】
図８において、カラー予定は、既述した広告部にカラー素材を配置すると登録した場合に有り（○）、配置しないと登録した場合に無し（×）と設定するものである。
【００６４】
カラー実績は、カラー予定有りと登録した広告部に広告校了通知があった時刻を設定（更新）、記事部にカラー校了通知があった時刻を設定（更新）し、最終の校了を記憶するものである。
【００６５】
面名は、紙面の１面、２面、３面、・・・全広（全面広告）、社会（社会面）などの面の名前である。
出力済は、分色版フィルムを自動出力済みか否かを設定する欄であって、校了が通知されたときに既述した図７の判定テーブルの条件を満たしたときに分色版フィルムを自動出力して出力済みを設定する欄である。
【００６６】
以上のような内容を持つ進行状況画面を表示することで、面毎にカラー予定の登録の有無、カラー実績（校了通知を受けた日時）および分色版フィルムの出力済みか否かを一覧として表示し、簡易に全体の状況を認識することが可能となる。
【００６７】
【発明の効果】
以上説明したように、本発明によれば、紙面の面毎に記事部および広告部のカラー素材の有無をそれぞれテーブル（紙面形態設定情報１８）に登録し、広告部の広告校了および記事部の記事校了／カラー完了をもとにテーブルを参照して自動判定して分色版フィルムを出力して次工程に渡す構成を採用しているため、待ち合わせを行って分色版フィルムを自動出力することが可能となる。これらにより、従来の編集局および広告局の人が他局のカラー素材の有無や作業進行状況を意識して分色版フィルムを出力していた煩雑な作業がなくなり、分色版フィルムの自動出力を実現することが可能となった。
【図面の簡単な説明】
【図１】本発明のシステム構成図である。
【図２】本発明の動作説明フローチャートである。
【図３】本発明の紙面例である。
【図４】本発明の紙面形態設定画面例である。
【図５】本発明の判定説明図である。
【図６】本発明の動作説明フローチャート（判定）である。
【図７】本発明の判定テーブル例である。
【図８】本発明の進行状況画面例である。
【符号の説明】
１：サーバ
１１：紙面形態管理手段
１２：カラー出力指示手段
１３：モノクロ出力指示手段
１４：ファイル
１５：広告データ
１６：記事カラーデータ
１７：記事モノクロデータ
１８：紙面形態設定情報
１９：進行状況情報
２：端末（記事）
２１、３１：紙面形態登録手段
２２：カラー校了手段
２３：記事校了手段
２４、３３：状況表示手段
２５、３４：入力装置
２６，３５：出力装置
３：端末（広告）
３２：広告校了手段
【図１】
0004060495.tif 000004
【図２】
0004060495.tif 000005
【図３】
0004060495.tif 000006
【図４】
0004060495.tif 000007
【図５】
0004060495.tif 000008
【図６】
0004060495.tif 000009
【図７】
0004060495.tif 000010
【図８】
0004060495.tif 000011